(57)【要約】【課題】 従来のプラズマディスプレイ装置は、矩形波によりリセットを行うと放電強度が強くなって背景発光が明るくなるため、鈍波によりリセットを行うようになって来ているが、より一層コントラストを向上させて画質の向上を図ることが必要とされている。【解決手段】 鈍波リセットを用いたプラズマディスプレイ装置の駆動方法であって、映像信号の表示率に応じて前記鈍波リセットの到達電位の維持時間ｔ１を制御するように構成する。【選択図】 図８
2010033097.tif 000002
【特許請求の範囲】
【請求項１】
鈍波リセットを用いたプラズマディスプレイ装置の駆動方法であって、映像信号の表示率に応じて前記鈍波リセットの到達電位の維持時間を制御することを特徴とするプラズマディスプレイ装置の駆動方法。
【請求項２】
請求項１に記載のプラズマディスプレイ装置の駆動方法において、前記映像信号の表示率が低いときは前記鈍波リセットの到達電位を下げるようにして該鈍波リセットの到達電位の維持時間を短くすることを特徴とするプラズマディスプレイ装置の駆動方法。
【請求項３】
請求項１に記載のプラズマディスプレイ装置の駆動方法において、前記映像信号の表示率が高いときは前記鈍波リセットの到達電位を上げるようにして該鈍波リセットの到達電位の維持時間を長くすることを特徴とするプラズマディスプレイ装置の駆動方法。
【請求項４】
請求項１に記載のプラズマディスプレイ装置の駆動方法において、前記映像信号の表示率が低いときは前記鈍波リセットの傾きを緩やかにして該鈍波リセットの到達電位の維持時間を短くすることを特徴とするプラズマディスプレイ装置の駆動方法。
【請求項５】
請求項１に記載のプラズマディスプレイ装置の駆動方法において、前記映像信号の表示率が高いときは前記鈍波リセットの傾きを急峻にして該鈍波リセットの到達電位の維持時間を長くすることを特徴とするプラズマディスプレイ装置の駆動方法。
【請求項６】
請求項１に記載のプラズマディスプレイ装置の駆動方法において、サブフィールドごとに前記鈍波リセットの到達電位の維持時間を制御することを特徴とするプラズマディスプレイ装置の駆動方法。
【請求項７】
請求項１に記載のプラズマディスプレイ装置の駆動方法において、前記鈍波リセットの波形形状をＣＲの時定数によって変化させて該鈍波リセットの到達電位の維持時間を制御することを特徴とするプラズマディスプレイ装置の駆動方法。
【請求項８】
プラズマディスプレイパネルと、
該プラズマディスプレイパネルに与えられる映像信号の表示率を検出する表示率検出回路と、
前記プラズマディスプレイパネルを鈍波リセットによりリセットするリセット回路と、
前記映像信号の表示率に応じて前記鈍波リセットの到達電位の維持時間を制御する到達維持時間設定回路と、を備え、前記鈍波リセットの到達電位の維持時間を制御することを特徴とするプラズマディスプレイ装置。
【請求項９】
請求項８に記載のプラズマディスプレイ装置において、前記リセット回路は、前記制御信号により制御される電流源およびスイッチ素子を備えることを特徴とするプラズマディスプレイ装置。
【請求項１０】
請求項８に記載のプラズマディスプレイ装置において、前記リセット回路は、前記制御信号により制御される可変抵抗素子およびスイッチ素子を備えることを特徴とするプラズマディスプレイ装置。
【発明の詳細な説明】
【技術分野】
【０００１】
本発明は、プラズマディスプレイ装置およびその駆動方法に関し、特に、鈍波リセット（鈍波リセットパルス）を用いてプラズマディスプレイパネル（ＰＤＰ：Plasma Display Panel）を駆動するプラズマディスプレイ装置およびその駆動方法に関する。
【０００２】
近年、平面型の画像表示装置として面放電を行う交流型プラズマディスプレイ装置が実用化され、パーソナルコンピュータやワークステーション等の画像表示装置、平面型の壁掛けテレビジョン、或いは、広告や情報等を表示するための装置として広く使用されて来ている。そして、例えば、近年の三電極面放電型のプラズマディスプレイ装置においては、矩形波によりリセットを行うと放電強度が強くなって背景発光が明るくなるため、鈍波によりリセットを行って背景発光を小さくしてコントラストを改善するようになっている。
【０００３】
しかしながら、このような鈍波リセットを用いたプラズマディスプレイ装置であっても充分とはいえず、より高画質の映像を提供するためには、さらに背景発光を低減してより一層のコントラストの改善が要望されている。
【背景技術】
【０００４】
従来、平面型の画像表示装置として面放電を行うプラズマディスプレイ装置が実用化され、画面上の全画素を表示データに応じて同時に発光させるようになっている。面放電を行うプラズマディスプレイ装置は、前面ガラス基板の内面に１対の電極が形成され、内部に希ガスが封入された構造となっている。電極間に電圧を印加すると、電極面上に形成された誘電体層および保護層の表面で面放電が起こり、紫外線が発生する。背面ガラス基板の内面には、３原色である赤色（Ｒ）、緑色（Ｇ）および青色（Ｂ）の蛍光体が塗布されており、紫外線によりこれらの蛍光体を励起発光させることによってカラー表示を行うようになっている。
【０００５】
図１は従来のプラズマディスプレイパネルの一例を模式的に示す図であり、三電極面放電ＡＣ型プラズマディスプレイパネルを示すものである。
【０００６】
図１において、参照符号１０はプラズマディスプレイパネル（ＰＤＰ）、１１は前面側の基板（前面基板）、１２はＸ電極用の透明電極、１３はＸ電極用のバス電極、１４はＹ電極用の透明電極、１５はＹ電極用のバス電極、１６は背面側の基板（背面基板）、１７はアドレス電極、１８は隔壁（リブ）、そして、１９Ｒ，１９Ｇ，１９Ｂは蛍光体層を示している。なお、実際のＰＤＰ１０は、Ｘ電極およびＹ電極上に誘電体層並びに保護膜が設けられ、また、アドレス電極上に誘電体層が設けられている。さらに、Ｘ電極（１２，１３）およびＹ電極（１４，１５）が設けられた前面側の基板１１とアドレス電極１７が設けられた背面側の基板１６との間には、ネオンとキセノンの混合ガスなどの放電ガスが充填され、Ｘ電極およびＹ電極とアドレス電極との交差部の放電空間が１つの放電セルを構成することになる。
【０００７】
図２は従来のプラズマディスプレイ装置における階調駆動シーケンスの一例を示す図である。
【０００８】
図２に示されるように、プラズマディスプレイ装置における階調駆動シーケンスは、１フィールド（フレーム）をそれぞれ所定の輝度の重みを有する複数のサブフィールド（サブフレーム）ＳＦ１〜ＳＦｎで構成し、各サブフィールドの組み合わせにより所望の階調表示を行うようになっている。具体的に、複数のサブフィールドとしては、例えば、２の巾乗の輝度重みを有する８つのサブフィールドＳＦ１〜ＳＦ８（維持放電の回数の比が１：２：４：８：１６：３２：６４：１２８）により２５６階調の表示を行うようになっている。
【０００９】
図３は従来のプラズマディスプレイ装置の駆動方法を説明するための図である。
【００１０】
図２および図３に示されるように、各サブフィールド（例えば、ＳＦ１〜ＳＦ８）は、それぞれ表示領域における全てのセルの壁電荷（帯電状態）を均一にするリセット期間（初期化過程）ＴＲ、点灯すべきセルに壁電荷を形成して点灯セルを選択するアドレス期間（アドレス過程）ＴＡ、および、壁電荷が形成された点灯セルを輝度に応じた回数だけ放電（点灯）させるサステイン期間（表示過程）ＴＳで構成され、各サブフィールドの表示ごとに輝度に応じてセルを点灯させ、例えば、８つのサブフィールド（ＳＦ１〜ＳＦ８）を表示することで１フィールドの表示を行うようになっている。
【００１１】
すなわち、リセット期間ＴＲにおいて、先ずパルスＰ１により全セルに放電を発生させて壁電荷を書き込み、次のパルスＰ２により全セルの壁電荷を消去する放電を発生させて帯電状態を零に調整する。ここで、リセット期間ＴＲにおいて、全セルに放電を発生させるためのＹ電極に与えるパルスＰ１は、時間と共に緩やかに電圧が変化する鈍波（鈍波リセット）を使用して、背景発光を小さくしてコントラストを改善するようになっている。
【００１２】
さらに、アドレス期間ＴＡにおいて、Ｙ電極（１４，１５）に対して順次スキャンパルスＳＣＰを印加し、同時に、表示データに基づいて点灯させるべきセルに対してアドレスパルスＡＤＰを印加してアドレス放電を起こし、壁電荷を形成する。
【００１３】
そして、サステイン期間ＴＳにおいて、Ｘ電極およびＹ電極（表示電極）に維持放電パルス（表示放電パルス）ＳＴＰを印加して、アドレス放電により壁電荷が形成されていたセルのみ点灯する。この維持放電パルスの回数により、セルの輝度が制御される。
【００１４】
図４は従来のプラズマディスプレイ装置の一例の全体構成を概略的に示すブロック図であり、例えば、前述した図１に示すようなＰＤＰ１０を使用したプラズマディスプレイ装置１００の一例を概略的に示すものである。
【００１５】
プラズマディスプレイ装置１００は、ＰＤＰ１０と、該ＰＤＰ１０の各セルを駆動するためのＸ側ドライバ３２，Ｙ側ドライバ３３およびアドレス側ドライバ３４と、これら各ドライバを制御する制御回路３１とを備えている。制御回路３１には、ＴＶチューナやコンピュータ等の外部装置からＲ，Ｇ，Ｂの３色の輝度レベルを示す多値画像データであるフィールドデータＤｆ、および、各種の同期信号（クロック信号ＣＬＫ，水平同期信号Ｈsync，垂直同期信号Ｖsync）が入力される。そして、制御回路３１は、上記フィールドデータＤｆおよび各種の同期信号からそれぞれのドライバ３２〜３４に適した制御信号を出力して所定の画像表示を行うようになっている。
【００１６】
Ｙ側ドライバ３３はＹ電極を制御するもので、スキャンドライバ（スキャンドライバＬＳＩ）３３１および共通ドライバ３３２を備え、また、Ｘ側ドライバ３２はＸ電極を制御するもので、共通ドライバ３２０を備えている。
【００１７】
ところで、従来、放電セルの間隔が狭い場合でも暗い画面での輝点等の発生を防止し、明るい画面でのリセット放電を確実に実行するために、一画面の発光画素比率を検出して制御パルス電源に入力し、発光画素比率に従って比率の低い画像ではサブフィールドリセット電圧を低く、また、比率の高い画像ではサブフィールドリセット電圧を高くするようにしたプラズマディスプレイ装置の駆動方法が提案されている（例えば、特許文献１参照）。
【００１８】
また、従来、ＡＬＩＳ方式のパネルの背景発光を低減し、暗室コントラストを向上するために、リセット期間に少なくとも書き込み放電工程および消去放電工程を設け、書き込み放電工程の電圧を少なくとも一部のサブフィールドで異ならせるようにしたプラズマディスプレイ装置の駆動方法が提案されている（例えば、特許文献２参照）。
【先行技術文献】
【特許文献】
【００１９】
【特許文献１】特開２０００−０２９４３１号公報
【特許文献２】特開２００３−０５０５６２号公報
【発明の概要】
【発明が解決しようとする課題】
【００２０】
従来、プラズマディスプレイ装置のリセット波形としては、例えば、矩形波リセットを用いており、例えば、上述した特許文献１のように、表示画像によってリセット用電源電圧を変化させるものも提案されているが、リセット波形として時間に対して緩やかに電圧が変化する鈍波リセットを使用する場合、或いは、鈍波リセットの到達電位の維持時間についての考慮はなされていなかった。
【００２１】
また、プラズマディスプレイ装置は、矩形波によりリセットを行うと放電強度が強くなって背景発光が明るくなるため、従来、例えば、鈍波によりリセットを行って背景発光を小さくしてコントラストを改善することも行われているが、より一層コントラストを向上させて画質の向上を図ることが必要とされている。
【００２２】
本発明は、より一層コントラストを向上させて高画質の映像を提供することのできるプラズマディスプレイ装置およびその駆動方法の提供を目的とする。
【課題を解決するための手段】
【００２３】
本発明の第１の形態によれば、鈍波リセットを用いたプラズマディスプレイ装置の駆動方法であって、映像信号の表示率に応じて前記鈍波リセットの到達電位の維持時間を制御することを特徴とするプラズマディスプレイ装置の駆動方法が提供される。
【００２４】
本発明の第２の形態によれば、プラズマディスプレイパネルと、該プラズマディスプレイパネルに与えられる映像信号の表示率を検出する表示率検出回路と、前記プラズマディスプレイパネルを鈍波リセットによりリセットするリセット回路と、前記映像信号の表示率に応じて前記鈍波リセットの到達電位の維持時間を制御する到達維持時間設定回路と、を備えることを特徴とするプラズマディスプレイ装置が提供される。
【発明の効果】
【００２５】
本発明によれば、表示画像に応じたリセット到達電位の維持時間を制御することにより、コントラストが必要となる画面において、背景発光を低減できコントラストの改善を図ることが可能なプラズマディスプレイ装置およびその駆動方法を提供することができる。
【図面の簡単な説明】
【００２６】
【図１】従来のプラズマディスプレイパネルの一例を模式的に示す図である。
【図２】従来のプラズマディスプレイ装置における階調駆動シーケンスの一例を示す図である。
【図３】従来のプラズマディスプレイ装置の一例における駆動波形を示す図である。
【図４】従来のプラズマディスプレイ装置の一例の全体構成を概略的に示すブロック図である。
【図５】本発明に係るプラズマディスプレイ装置の一実施例を概略的に示すブロック図である。
【図６】本発明に係るプラズマディスプレイ装置の一実施例における駆動波形を示す図である。
【図７】鈍波リセットの波形を概略的に示す図である。
【図８】本発明に係るプラズマディスプレイ装置における鈍波リセットの波形の例を概略的に示す図（その１）である。
【図９】本発明に係るプラズマディスプレイ装置における鈍波リセットの波形の例を概略的に示す図（その２）である。
【図１０】本発明に係るプラズマディスプレイ装置におけるリセット回路の一例を概略的に示す図である。
【図１１】本発明に係るプラズマディスプレイ装置におけるリセット回路の他の例を概略的に示す図である。
【図１２】本発明に係るプラズマディスプレイ装置におけるリセット回路のさらに他の例を概略的に示す図である。
【図１３】本発明に係るプラズマディスプレイ装置におけるリセット回路のまたさらに他の例を概略的に示す図である。
【発明を実施するための形態】
【００２７】
本発明に係るプラズマディスプレイ装置およびその駆動方法は、鈍波リセットにおける到達電位の維持時間を制御することにより、リセット時に電圧ドロップの生じる白表示画面などの高負荷時は維持時間を長くし、また、リセット時に電圧ドロップが生じない小負荷時は維持時間を短くすることで、コントラストが必要となる小負荷時において背景発光を抑えて画質を向上させるものである。
【実施例】
【００２８】
以下、本発明に係るプラズマディスプレイ装置およびその駆動方法の実施例を、添付図面を参照して詳述する。
図５は本発明に係るプラズマディスプレイ装置の一実施例を概略的に示すブロック図である。
【００２９】
図５において、参照符号１はプラズマディスプレイパネル（ＰＤＰ）、２はＸ電極用のサステイン回路、３はＹ電極用のサステイン回路、４はＡ／Ｄ変換回路、５は表示率検出回路、６は到達維持時間設定回路、そして、７はリセット回路を示している。なお、Ｘ電極用のサステイン回路２およびＹ電極用のサステイン回路３は、図４における共通ドライバ３３２および３２０にそれぞれ対応し、また、Ａ／Ｄ変換回路４および表示率検出回路５は、図４における制御回路３１に設けられている。
【００３０】
すなわち、本実施例のプラズマディスプレイ装置は、図４に示す従来のプラズマディスプレイ装置に対して、到達維持時間設定回路６を新たに設けたものに相当する。
【００３１】
Ａ／Ｄ変換回路４は、外部から供給される入力信号（フィールドデータＤｆ）をアナログ／デジタル変換して映像信号を表示率検出回路５へ出力し、表示率検出回路５は、ＰＤＰ１に与えられる映像信号の表示率を検出する。
【００３２】
到達維持時間設定回路６は、表示率検出回路５で検出された映像信号の表示率に応じて鈍波リセットの到達電位の維持時間を設定し、リセット回路７を介して鈍波リセットの到達電位の維持時間の制御を行う。
【００３３】
すなわち、到達維持時間設定回路６は、表示率が高く高負荷率の場合、リセット到達電位の維持時間を長くするような制御信号をサステイン回路３内のリセット回路７に入力し、また、表示率が低く低付加率の場合、リセット到達電位の維持時間を短くするような制御信号をサステイン回路３内のリセット回路７に入力する。
【００３４】
リセット回路７は、到達維持時間設定回路６からの制御信号を受け取って、例えば、スイッチのオン時間を制御することにより映像信号の表示率に応じた鈍波リセットの到達電位の維持時間に制御する。
【００３５】
図６は本発明に係るプラズマディスプレイ装置の一実施例における駆動波形を示す図であり、図７は鈍波リセットの波形を概略的に示す図である。本実施例のプラズマディスプレイ装置は、図３を参照して説明した従来のプラズマディスプレイ装置と同様に、鈍波リセットを用いて駆動するようになっている。
【００３６】
すなわち、図６に示されるように、本実施例のプラズマディスプレイ装置の駆動波形は、リセット期間ＴＲ、アドレス期間ＴＡおよびサステイン期間ＴＳで構成されている。リセット期間ＴＲは、それまでの壁電荷の状態を全てのセルで同じに状態にするための期間であり、放電を行っていたセルが多いほど（表示率が高いほど）、リセットの電位が下がる可能性がある。そのため、図７に示されるように、鈍波リセット（リセットパルスＰ１）の波形は、リセット電位に到達した後にある一定の維持時間ｔ１が必要になる。
【００３７】
本発明に係るプラズマディスプレイ装置の駆動方法は、図７に示すリセットパルスＰ１における維持時間（鈍波リセットの到達電位の維持時間）ｔ１を映像信号の表示率に応じて変化させるものである。
【００３８】
すなわち、リセット放電を多くしなければならない高表示率の場合は維持時間ｔ１を長くして、電圧ドロップによるリセット不足が起こらないようにし、また、リセット放電が少ない低い表示率の場合は、維持時間を短くすることで、リセット放電による背景発光を低減させて高コントラストを実現するようになっている。なお、上記鈍波リセットの到達電位の維持時間の制御、すなわち、鈍波リセットの到達電位または傾きを変化させて該鈍波リセットの到達電位の維持時間を制御するのは、例えば、サブフィールド（ＳＦ）ごとに行うのが好ましい。
【００３９】
図８は本発明に係るプラズマディスプレイ装置における鈍波リセットの波形の例を概略的に示す図（その１）であり、図８（ａ）は低表示率の場合の波形を示し、また、図８（ｂ）は高表示率の場合の波形を示す。
【００４０】
まず、図８（ａ）に示されるように、映像信号の表示率が低いときは、鈍波リセットの到達電位をＶ１からＶ２へ下げるようにして該鈍波リセットの到達電位の維持時間をｔ１からｔ２へと短くする。これにより、映像信号の表示率が低いときには、背景発光を抑えて高いコントラストの画像が得られることになる。
【００４１】
また、図８（ｂ）に示されるように、映像信号の表示率が高いときは、鈍波リセットの到達電位をＶ１からＶ３へ上げるようにして該鈍波リセットの到達電位の維持時間をｔ１からｔ３へと長くする。これにより、映像信号の表示率が高いときでも、安定的なリセット動作を行うことができる。
【００４２】
ただし、鈍波リセットの到達電位を下げたことで電圧ドロップによるリセット不足が起こらないようにするために、維持時間を長くする場合もある。また、映像信号の表示率が高いときは、鈍波リセットの到達電位を上げ、リセットが安定しているならば、その分維持時間を短くする場合もある。
【００４３】
図９は本発明に係るプラズマディスプレイ装置における鈍波リセットの波形の例を概略的に示す図（その２）であり、図９（ａ）は低表示率の場合の波形を示し、また、図９（ｂ）は高表示率の場合の波形を示す。
【００４４】
まず、図９（ａ）に示されるように、映像信号の表示率が低いときは、鈍波リセットの傾きをＳＬ１からＳＬ２へ緩やかにして該鈍波リセットの到達電位の維持時間をｔ１からｔ２へと短くする。これにより、映像信号の表示率が低いときには、背景発光を抑えて高いコントラストの画像が得られることになる。
【００４５】
また、図９（ｂ）に示されるように、映像信号の表示率が高いときは、鈍波リセットの傾きをＳＬ１からＳＬ３へ急峻にして該鈍波リセットの到達電位の維持時間をｔ１からｔ３へと長くする。これにより、映像信号の表示率が高いときでも、安定的なリセット動作を行うことができる。
【００４６】
図１０は本発明に係るプラズマディスプレイ装置におけるリセット回路の一例を概略的に示す図である。図７において、参照符号７１は定電流源、７２はスイッチ素子、そして、Ｖｒはリセット電圧を示している。
【００４７】
図１０に示されるように、本例のリセット回路７は、定電流源７１およびスイッチ素子７２を備え、定電流源７１の一定の電流で容量（Ｃ）であるパネル１を充電することで、一定の傾きで電圧を上昇させるようになっている。そして、到達維持時間設定回路６からの制御信号ＣＳにより定電流源７１の電流値を変えることで鈍波リセットの傾きを変えることができ、また、スイッチ素子７２のオン時間を変えることで鈍波リセットの到達電位の維持時間を制御することができるようになっている。
【００４８】
図１１は本発明に係るプラズマディスプレイ装置におけるリセット回路の他の例を概略的に示す図である。
【００４９】
図１１に示されるように、本例のリセット回路７は、トランジスタ７１１、ベース電流制御回路７１２およびスイッチ素子７２を備え、到達維持時間設定回路６からの制御信号ＣＳはベース電流制御回路７１２に入力されている。そして、このベース電流制御回路７１２によりトランジスタ７１１のベース電流を制御することで鈍波リセットの傾きを制御するようになっている。
【００５０】
すなわち、ベース電流制御回路７１２は、トランジスタ７１１のコレクタ電流を検出して制御することにより鈍波リセットの傾きを２段階または３段階の異なる傾きにする。そして、トランジスタ７１１のベース電流の制御は、例えば、トランジスタ７１１の制御パルスのオン・オフ期間（デューティ）を変えることで制御可能である。また、上述したように、スイッチ素子７２のオン時間を変えることで鈍波リセットの到達電位の維持時間を制御することができる。
【００５１】
図１２は本発明に係るプラズマディスプレイ装置におけるリセット回路のさらに他の例を概略的に示す図である。
【００５２】
図１２に示されるように、本例のリセット回路７は、図１０に示すリセット回路における定電流源７１の代わりに可変抵抗素子７３を設け、この可変抵抗素子７３の抵抗値を到達維持時間設定回路６からの制御信号ＣＳによって制御し、すなわち、映像信号の表示率によって制御することで鈍波リセットの波形形状を変えるようになっている。ここで、鈍波リセットの波形形状を変えるＣＲのＲ（抵抗）はもちろん可変抵抗素子７３であるが、Ｃ（容量）はＰＤＰ１の放電セルである。そして、到達維持時間設定回路６からの制御信号ＣＳによって可変抵抗素子７３の抵抗値を制御することで鈍波リセットの波形形状を２つ以上持たせることができる。
【００５３】
図１３は本発明に係るプラズマディスプレイ装置におけるリセット回路のまたさらに他の例を概略的に示す図である。
【００５４】
図１３に示されるように、本例のリセット回路７は、図１２に示すリセット回路における可変抵抗素子７３の変わりに３つの抵抗素子およびスイッチ素子の組７３１，７４１；７３２，７４２；７３３，７４３を設けるようになっている。ここで、抵抗素子７３１，７３２，７３３の抵抗値Ｒ731，Ｒ732，Ｒ733は全て同一の値（Ｒ731：Ｒ732：Ｒ733＝１：１：１）としてもよいが、例えば、２のべき乗の比率となるような値（Ｒ731：Ｒ732：Ｒ733＝１：２：４）としてもよい。
【００５５】
そして、スイッチ素子７４１，７４２，７４３を到達維持時間設定回路６からの制御信号ＣＳによって制御することで鈍波リセットの傾きを変化させることができる。具体的に、例えば、抵抗素子７３１〜７３３の抵抗値Ｒ731：Ｒ732：Ｒ733＝１：１：１の場合、２つのスイッチ素子７４１および７４２を同時にオンすることで３つのスイッチ素子７４１〜７４３を同時にオンしたときよりも緩やかな鈍波リセットの傾きを生成することがで、また、１つのスイッチ素子７４１だけをオンすればより一層緩やかな鈍波リセットの傾きを生成することができる。
【００５６】
さらに、例えば、スイッチ素子７４１〜７４３のオフタイミングをずらすことで傾きが２段階または３段階となる鈍波リセットの波形を得ることも可能である。なお、鈍波リセットの到達電位の維持時間は、スイッチ素子７２のオン時間を変えることで制御することができる。
【００５７】
以上の説明では、本発明に係るプラズマディスプレイ装置として三電極面放電型のプラズマディスプレイ装置を説明したが、本発明の適用は鈍波リセットを用いた他の様々なプラズマディスプレイ装置に対して適用することができる。
【００５８】
（付記１） 鈍波リセットを用いたプラズマディスプレイ装置の駆動方法であって、映像信号の表示率に応じて前記鈍波リセットの到達電位の維持時間を制御することを特徴とするプラズマディスプレイ装置の駆動方法。
【００５９】
（付記２） 付記１に記載のプラズマディスプレイ装置の駆動方法において、前記映像信号の表示率が低いときは前記鈍波リセットの到達電位を下げるようにして該鈍波リセットの到達電位の維持時間を短くすることを特徴とするプラズマディスプレイ装置の駆動方法。
【００６０】
（付記３） 付記１に記載のプラズマディスプレイ装置の駆動方法において、前記映像信号の表示率が高いときは前記鈍波リセットの到達電位を上げるようにして該鈍波リセットの到達電位の維持時間を長くすることを特徴とするプラズマディスプレイ装置の駆動方法。
【００６１】
（付記４） 付記１に記載のプラズマディスプレイ装置の駆動方法において、前記映像信号の表示率が低いときは前記鈍波リセットの傾きを緩やかにして該鈍波リセットの到達電位の維持時間を短くすることを特徴とするプラズマディスプレイ装置の駆動方法。
【００６２】
（付記５） 付記１に記載のプラズマディスプレイ装置の駆動方法において、前記映像信号の表示率が高いときは前記鈍波リセットの傾きを急峻にして該鈍波リセットの到達電位の維持時間を長くすることを特徴とするプラズマディスプレイ装置の駆動方法。
【００６３】
（付記６） 付記１に記載のプラズマディスプレイ装置の駆動方法において、サブフィールドごとに前記鈍波リセットの到達電位の維持時間を制御することを特徴とするプラズマディスプレイ装置の駆動方法。
【００６４】
（付記７） 付記６に記載のプラズマディスプレイ装置の駆動方法において、前記サブフィールドごとに前記鈍波リセットの到達電位または傾きを変化させて該鈍波リセットの到達電位の維持時間を制御することを特徴とするプラズマディスプレイ装置の駆動方法。
【００６５】
（付記８） 付記１に記載のプラズマディスプレイ装置の駆動方法において、前記鈍波リセットの波形形状をＣＲの時定数によって変化させて該鈍波リセットの到達電位の維持時間を制御することを特徴とするプラズマディスプレイ装置の駆動方法。
【００６６】
（付記９） 付記８に記載のプラズマディスプレイ装置の駆動方法において、前記ＣＲによる鈍波リセットの波形形状を少なくとも２つ備えたことを特徴とするプラズマディスプレイ装置の駆動方法。
【００６７】
（付記１０） 付記９に記載のプラズマディスプレイ装置の駆動方法において、前記ＣＲによる鈍波リセットの波形形状は２つであることを特徴とするプラズマディスプレイ装置の駆動方法。
【００６８】
（付記１１） プラズマディスプレイパネルと、
該プラズマディスプレイパネルに与えられる映像信号の表示率を検出する表示率検出回路と、
前記プラズマディスプレイパネルを鈍波リセットによりリセットするリセット回路と、
前記映像信号の表示率に応じて前記鈍波リセットの到達電位の維持時間を制御する到達維持時間設定回路と、を備え、前記鈍波リセットの到達電位の維持時間を制御することを特徴とするプラズマディスプレイ装置。
【００６９】
（付記１２） 付記１１に記載のプラズマディスプレイ装置において、前記到達維持時間設定回路は、制御信号を前記リセット回路に供給して、前記映像信号の表示率が低いときは前記鈍波リセットの到達電位を下げるようにして該鈍波リセットの到達電位の維持時間を短くすることを特徴とするプラズマディスプレイ装置。
【００７０】
（付記１３） 付記１１に記載のプラズマディスプレイ装置において、前記到達維持時間設定回路は、制御信号を前記リセット回路に供給して、前記映像信号の表示率が高いときは前記鈍波リセットの到達電位を上げるようにして該鈍波リセットの到達電位の維持時間を長くすることを特徴とするプラズマディスプレイ装置。
【００７１】
（付記１４） 付記１１に記載のプラズマディスプレイ装置において、前記到達維持時間設定回路は、制御信号を前記リセット回路に供給して、前記映像信号の表示率が低いときは前記鈍波リセットの傾きを緩やかにして該鈍波リセットの到達電位の維持時間を短くすることを特徴とするプラズマディスプレイ装置。
【００７２】
（付記１５） 付記１１に記載のプラズマディスプレイ装置において、前記到達維持時間設定回路は、制御信号を前記リセット回路に供給して、前記映像信号の表示率が高いときは前記鈍波リセットの傾きを急峻にして該鈍波リセットの到達電位の維持時間を長くすることを特徴とするプラズマディスプレイ装置。
【００７３】
（付記１６） 付記１に記載のプラズマディスプレイ装置において、前記到達維持時間設定回路は、サブフィールドごとに前記鈍波リセットの到達電位の維持時間を制御することを特徴とするプラズマディスプレイ装置。
【００７４】
（付記１７） 付記１６に記載のプラズマディスプレイ装置において、前記到達維持時間設定回路は、前記サブフィールドごとに前記鈍波リセットの到達電位または傾きを変化させて該鈍波リセットの到達電位の維持時間を制御することを特徴とするプラズマディスプレイ装置。
【００７５】
（付記１８） 付記１１に記載のプラズマディスプレイ装置において、前記到達維持時間設定回路は、前記鈍波リセットの波形形状をＣＲの時定数によって変化させて該鈍波リセットの到達電位の維持時間を制御することを特徴とするプラズマディスプレイ装置。
【００７６】
（付記１９） 付記１８に記載のプラズマディスプレイ装置において、前記到達維持時間設定回路は、前記ＣＲによる鈍波リセットの波形形状を少なくとも２つ備えたことを特徴とするプラズマディスプレイ装置。
【００７７】
（付記２０） 付記１９に記載のプラズマディスプレイ装置において、前記ＣＲによる鈍波リセットの波形形状は２つであることを特徴とするプラズマディスプレイ装置。
【００７８】
（付記２１） 付記１１に記載のプラズマディスプレイ装置において、前記リセット回路は、前記制御信号により制御される電流源およびスイッチ素子を備えることを特徴とするプラズマディスプレイ装置。
【００７９】
（付記２２） 付記１１に記載のプラズマディスプレイ装置において、前記リセット回路は、前記制御信号により制御される可変抵抗素子およびスイッチ素子を備えることを特徴とするプラズマディスプレイ装置。
【００８０】
（付記２３） 付記１１に記載のプラズマディスプレイ装置において、前記リセット回路は、前記制御信号により制御される複数の抵抗素子およびスイッチ素子の組、並びに、スイッチ素子を備えることを特徴とするプラズマディスプレイ装置。
【産業上の利用可能性】
【００８１】
本発明は、鈍波リセットを用いた三電極面放電型のプラズマディスプレイ装置を初めとする様々なプラズマディスプレイ装置に適用することができ、プラズマディスプレイ装置は、例えば、パーソナルコンピュータやワークステーション等のディスプレイ装置、平面型の壁掛けテレビジョン、或いは、広告や情報等を表示するための画像表示装置として利用される。
【符号の説明】
【００８２】
１，１０ プラズマディスプレイパネル（ＰＤＰ）
２ Ｘ電極用のサステイン回路
３ Ｙ電極用のサステイン回路
４ Ａ／Ｄ変換回路
５ 表示率検出回路
６ 到達維持時間設定回路
７ リセット回路
１１ 前面側の基板（前面基板）
１２ Ｘ電極用の透明電極
１３ Ｘ電極用のバス電極
１４ Ｙ電極用の透明電極
１５ Ｙ電極用のバス電極
１６ 背面側の基板（背面基板）
１７ アドレス電極
１８ 隔壁（リブ）
１９Ｒ，１９Ｇ，１９Ｂ 蛍光体層
３１ 制御回路
３２ Ｘ側ドライバ
３３ Ｙ側ドライバ
３４ アドレス側ドライバ
１００ プラズマディスプレイ装置
３２０ Ｘ側ドライバの共通ドライバ
３３１ Ｙ側ドライバのスキャンドライバ
３３２ Ｙ側ドライバの共通ドライバ
ＴＡ アドレス期間
ＴＲ リセット期間
ＴＳ サステイン期間
【図１】
2010033097.tif 000003
【図２】
2010033097.tif 000004
【図３】
2010033097.tif 000005
【図４】
2010033097.tif 000006
【図５】
2010033097.tif 000007
【図６】
2010033097.tif 000008
【図７】
2010033097.tif 000009
【図８】
2010033097.tif 000010
【図９】
2010033097.tif 000011
【図１０】
2010033097.tif 000012
【図１１】
2010033097.tif 000013
【図１２】
2010033097.tif 000014
【図１３】
2010033097.tif 000015
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
時間の経過に伴って電圧が増大する波形を印加する第１の期間と、前記電圧が増大する波形の到達電位を維持する第２の期間とを含むリセット期間を有するプラズマディスプレイ装置の駆動方法であって、
入力信号の表示率が第１の表示率の場合よりも、前記第１の表示率より高い第２の表示率の場合に、前記第２の期間を長くすると共に、
前記第１の表示率の場合よりも前記第２の表示率の場合に、前記電圧が増大する波形の単位時間当たりの電圧増加量を大きくすることを特徴とするプラズマディスプレイ装置の駆動方法。
【請求項２】
請求項1記載のプラズマディスプレイ装置の駆動方法であって、
前記第２の表示率の場合の方が第１の表示率の場合よりも前記到達電位を高くすることを特徴とするプラズマディスプレイ装置の駆動方法。
【請求項３】
請求項1記載のプラズマディスプレイ装置の駆動方法であって、
前記第２の表示率の場合の方が第１の表示率の場合よりも前記第１の期間を短くすることを特徴とするプラズマディスプレイ装置の駆動方法。
【請求項４】
請求項１乃至３のいずれか１項に記載のプラズマディスプレイ装置の駆動方法であって、
前記リセット期間は、さらに、時間の経過に伴って電圧が減少する負電位の波形を印加する期間を含むことを特徴とするプラズマディスプレイ装置の駆動方法。
【請求項５】
請求項１乃至４のいずれか１項に記載のプラズマディスプレイ装置の駆動方法であって、
前記時間の経過に伴って増大する波形は、定電流源を用いることにより、単位時間当たりの電圧増加量を実質的に一定とすることを特徴とするプラズマディスプレイ装置の駆動方法。
【請求項６】
第１方向に伸びる複数のX電極及びY電極と、前記第１方向に交差する第２方向に伸びる複数のアドレス電極とを備えるプラズマディスプレイパネルと、
入力信号の表示率を検出する回路と、
前記Y電極に、時間の経過に伴って電圧が増大する波形を含むリセット波形を印加する回路と、
前記リセット波形を印加する回路を制御する回路を備え、
前記制御する回路は、前記電圧が増大する波形の到達電位を維持するように制御し、
前記入力信号の表示率が第１の表示率の場合よりも、前記第１の表示率より高い第２の表示率の場合に、前記到達電位を維持する期間を長くすると共に、
前記第１の表示率の場合よりも前記第２の表示率の場合に、前記電圧が増大する波形の単位時間当たりの電圧増加量を大きくするように前記電圧が増大する波形を印加する回路を制御することを特徴とするプラズマディスプレイ装置。
【請求項７】
請求項６記載のプラズマディスプレイ装置であって、
前記制御する回路は、前記第２の表示率の場合の方が第１の表示率の場合よりも前記到達電位を高くするように前記リセット波形を印加する回路を制御することを特徴とするプラズマディスプレイ装置。
【請求項８】
請求項６記載のプラズマディスプレイ装置であって、
前記制御する回路は、前記入力信号の表示率が前記第２の表示率の場合の方が前記第１の表示率の場合よりも前記電圧が増大する波形を印加する期間を短くするように前記リセット波形を印加する回路を制御することを特徴とするプラズマディスプレイ装置。
【請求項９】
請求項６乃至８のいずれか１項に記載のプラズマディスプレイ装置であって、
前記リセット波形を印加する回路は、定電流源と前記定電流源に接続されたスイッチ素子とを備え、
前記制御する回路は、前記定電流源の電流値を制御することによって前記単位時間当たりの電圧増加量を変更し、
前記スイッチ素子のオン時間を制御することによって前記到達電位を維持する期間を変更することを特徴とするプラズマディスプレイ装置。
【請求項１０】
請求項６乃至８のいずれか１項に記載のプラズマディスプレイ装置であって、
前記リセット波形を印加する回路は、可変抵抗と前記可変抵抗に接続されたスイッチ素子とを備え、
前記制御する回路は、前記可変抵抗の抵抗値を制御することによって前記単位時間当たりの電圧増加量を変更することを特徴とするプラズマディスプレイ装置。
【請求項１１】
請求項６乃至８のいずれか１項に記載のプラズマディスプレイ装置であって、
前記リセット波形を印加する回路は、複数の抵抗と前記複数の抵抗にそれぞれ接続されたスイッチ素子とを備え、
前記制御する回路は、前記スイッチ素子のオンオフを切り替えることによって前記単位時間当たりの電圧増加量を変更することを特徴とするプラズマディスプレイ装置。